(57)【要約】【課題】  すでに所望のチャンネルを視聴中であるにもかかわらずチャンネル／アップダウンキーにより無駄な選局をしてしまうことを防止すること。【解決手段】  キー入力部によってチャンネルをアップ方向もしくはダウン方向のいずれかに選局する際、時間計測部により測定した時間が一定時間以上経過した後のキー入力部によるキー入力時には、選局部による選局動作は行わず、映像受信装置の現在の受信チャンネル番号をチャンネル番号提示手段によりユーザに提示し、時間計測部により測定した時間が一定時間未満内のキー入力部によるキー入力時には、選局部による実際の選局動作を行う。【選択図】      図１
2005142827.tif 000002
【特許請求の範囲】
【請求項１】
受信中のチャンネルをアップもしくはダウンさせるよう選局するためのキー入力部と、
チャンネルをアップもしくはダウンさせるよう選局する選局部と、
前記キー入力部によるキー入力に応じて前記選局部を制御するキー入力制御部と、
チャンネルをアップもしくはダウンして選局するための前記キー入力部の最終操作からの時間を計測する時間計測部と、
現在受信しているチャンネル番号をユーザに提示するチャンネル番号提示手段とを、
備えた映像受信装置において、
前記キー入力部によって前記チャンネルをアップ方向もしくはダウン方向のいずれかに選局する際、前記時間計測部により測定した時間が一定時間以上経過した後の前記キー入力部によるキー入力時には、前記選局部による選局動作は行わず、映像受信装置の現在の受信チャンネル番号を前記チャンネル番号提示手段によりユーザに提示し、前記時間計測部により測定した時間が一定時間未満内の前記キー入力部によるキー入力時には、前記選局部による実際の選局動作を行うことを特徴とする映像受信装置。
【請求項２】
受信中のチャンネルをアップもしくはダウンさせるよう選局するためのキー入力部と、
チャンネルをアップもしくはダウンさせるよう選局する選局部と、
前記キー入力部によるキー入力に応じて前記選局部を制御するキー入力制御部と、
現在受信しているチャンネル番号をユーザに提示するチャンネル番号提示手段と、
現在ユーザに受信チャンネル番号を提示中であるのか否かを判定するチャンネル番号提示判定手段とを、
備えた映像受信装置において、
前記キー入力部によって前記チャンネルをアップ方向もしくはダウン方向のいずれかに選局する際、前記チャンネル番号提示判定手段により提示中ではないと判定した場合に、前記選局部による選局動作は行わず、映像受信装置の現在の受信チャンネル番号を前記チャンネル番号提示手段によりユーザに提示し、前記チャンネル番号提示判定手段により提示中であると判定した場合には、前記選局部による実際の選局動作を行うことを特徴とする映像受信装置。
【請求項３】
受信中のチャンネルをアップもしくはダウンさせるよう選局するためのキー入力部と、
チャンネルをアップもしくはダウンさせるよう選局する選局部と、
前記キー入力部によるキー入力に応じて前記選局部を制御するキー入力制御部と、
チャンネルをアップもしくはダウンして選局するための前記キー入力部のキーの押下時間を計測するキー押下時間計測部と、
現在受信しているチャンネル番号をユーザに提示するチャンネル番号提示手段とを、
備えた映像受信装置において、
前記キー入力部によって前記チャンネルをアップ方向もしくはダウン方向のいずれかに選局する際、前記キー押下時間計測部により測定した時間が一定時間未満の場合、前記選局部による選局動作は行わず、映像受信装置の現在の受信チャンネル番号を前記チャンネル番号提示手段によりユーザに提示し、前記キー押下時間計測部により測定した時間が一定時間以上の場合には、前記選局部による実際の選局動作を行うことを特徴とする映像受信装置。
【発明の詳細な説明】
【技術分野】
【０００１】
本発明は、テレビジョン受像機、デジタルテレビ放送受信セットトップボックス等のアップ／ダウン選局キー入力部を有する映像受信装置に関する。
【背景技術】
【０００２】
テレビジョン受像機等の映像受信装置を操作するには、本体ボタン、あるいはリモコン送信機を用いる。テレビジョン受像機のリモコン送信機の一例を、図５に示す。
【０００３】
図５のテレビジョン受像機を操作するためのリモコン送信機１のように、チャンネル選局をダイレクトに行うための選局用テンキー３と、チャンネル選局をシーケンシャルに行うためのチャンネルアップ／ダウンキー２とを有しているものが多い。そして、ユーザは、好みやその時々の利便性に応じて、ダイレクト選局キー３とチャンネルアップ／ダウンキー２とを、適宜に使い分けている。
【０００４】
図６は、従来のテレビジョン受像機の一例を示すブロック図であり、図７は、従来のテレビジョン受像機におけるチャンネルを変更する際の動作を説明するためのフローチャートである。
【０００５】
図６において、キー入力部１４は、リモコン送信機もしくはテレビジョン受像機本体に設けられているチャンネル変更のためのチャンネルアップ／ダウンキーなどからなる入力部である。キー入力部１４のチャンネルアップ／ダウンキーによるキー入力は、キー入力制御部１５に入力されてキーコードが解析され、その解析結果はユーザインタフェース管理部１６で処理される。ユーザインタフェース管理部１６は、キー入力部１４によって入力されたチャンネルの周波数データをテレビ放送受信選局部１１に入力する。これによって、アンテナ１０からのテレビ放送信号をテレビ放送受信選局部１１で所定のチャンネルに選局し、所定のチャンネルのテレビ放送信号は、映像／音声信号処理部１２で処理された後、映像は映像／ＯＳＤ信号合成部１３を経て映像出力部１９に、音声は音声出力部１８にそれぞれ出力される。
【０００６】
さらに、ユーザインタフェース管理部１６は、キー入力制御部１５から入力されるキーコードの結果を処理し、ＯＳＤ表示部１７にチャンネル番号がオンスクリーン表示されるよう指示する。ＯＳＤ表示部１７は、キー入力部１４によって入力され、テレビ放送受信選局部１１によって選局されるチャンネルを表す数値等のオンスクリーン信号を発生する。オンスクリーン信号は映像／ＯＳＤ信号合成部１３で映像信号と合成され、映像出力部１９に出力される。チャンネルを表すオンスクリーン信号は、一般的には所定時間経過後に消去される。
【０００７】
図６に示す従来のテレビジョン受像機のチャンネル変更の際の動作を、一例としてチャンネルアップ（ダウン）キーが押された場合について、図７に示すフローチャートを用いて、さらに説明する。まず、チャンネルアップ（ダウン）キーが押下され（ステップＳ１）、その信号はキー入力部１４、キー入力制御部１５を経て、キーコードとしてユーザインタフェース管理部１６に入力される。ユーザインタフェース管理部１６は、チャンネルデータを＋１（−１）（ステップＳ２）し、その＋１（−１）されたチャンネルの周波数データを割り出してテレビ放送受信選局部１１に入力する。テレビ放送受信選局部１１は、ユーザインタフェース管理部１６からの指示どおりに選局を行って（ステップＳ３）、映像／音声信号を映像／音声信号処理部１２に入力し、映像／音声信号処理部１２は、入力された映像／音声信号を適切に処理し、音声を音声出力部１８に、映像を映像／ＯＳＤ信号合成部１３を経て映像出力部１９に、それぞれ出力する（ステップＳ４）。ユーザインタフェース管理部１６は、テレビ放送受信選局部１１に選局する指示をする際に、選局後の受信チャンネル番号をＯＳＤ表示するようＯＳＤ表示部１７に指示し、ＯＳＤ表示部１７はチャンネルを表すオンスクリーン信号を発生して、これが映像／ＯＳＤ信号合成部１３で映像信号と合成され、映像出力部１９から出力される（ステップＳ５）。その後、一定時間経過後にオンスクリーン表示されたチャンネル番号は消去される。
【発明の開示】
【発明が解決しようとする課題】
【０００８】
ところで、近年のテレビジョン受像機は、受信中のチャンネル番号をテレビスクリーン上に提示し、テレビスクリーン上以外に受信中のチャンネル番号を提示できないものが多い。そのようなテレビジョン受像機では、チャンネル番号を常時表示する設定にしておかないと、リモコン送信機や本体操作ボタン上に配置される画面表示ボタンを押下して、受信チャンネル番号を提示させる指示をしない限り、ユーザは現在視聴しているチャンネル番号を確認することができない。
【０００９】
現在受信中のチャンネルを提示していない状況で、ユーザが現在視聴中のチャンネルを確認しないまま所望のチャンネルにチャンネルアップ／ダウンキーで選局を行う場合、実は、すでに所望のチャンネルを選局し、視聴していたということが発生する。しかしながら、従来のチャンネルアップ／ダウンキーでの選局では、キーを押下したときに必ず選局を行うため、一度、隣のチャンネルに選局され、ユーザは選局が終わった時点で初めて、自分はすでに所望のチャンネルを視聴していたことに気付く。
【００１０】
本発明はこのような状況を防ぐためになされたものであり、その目的とするところは、ユーザがチャンネルアップ／ダウンキーで選局を行う場合の無駄な選局を防止し、適切にチャンネルアップ／ダウンキーでの選局を行えるようにすることにある。
【課題を解決するための手段】
【００１１】
上記した目的を達成するため、本願による一つの本発明では、受信中のチャンネルをアップもしくはダウンさせるよう選局するためのキー入力部と、チャンネルをアップもしくはダウンさせるよう選局する選局部と、前記キー入力部によるキー入力に応じて前記選局部を制御するキー入力制御部と、チャンネルをアップもしくはダウンして選局するための前記キー入力部の最終操作からの時間を計測する時間計測部と、現在受信しているチャンネル番号をユーザに提示するチャンネル番号提示手段とを備えた映像受信装置において、
前記キー入力部によって前記チャンネルをアップ方向もしくはダウン方向のいずれかに選局する際、前記時間計測部により測定した時間が一定時間以上経過した後の前記キー入力部によるキー入力時には、前記選局部による選局動作は行わず、映像受信装置の現在の受信チャンネル番号を前記チャンネル番号提示手段によりユーザに提示し、前記時間計測部により測定した時間が一定時間未満内の前記キー入力部によるキー入力時には、前記選局部による実際の選局動作を行うように、構成される。  
また、本願による他の一つの本発明では、受信中のチャンネルをアップもしくはダウンさせるよう選局するためのキー入力部と、チャンネルをアップもしくはダウンさせるよう選局する選局部と、前記キー入力部によるキー入力に応じて前記選局部を制御するキー入力制御部と、現在受信しているチャンネル番号をユーザに提示するチャンネル番号提示手段と、現在ユーザに受信チャンネル番号を提示中であるのか否かを判定するチャンネル番号提示判定手段とを備えた映像受信装置において、
前記キー入力部によって前記チャンネルをアップ方向もしくはダウン方向のいずれかに選局する際、前記チャンネル番号提示判定手段により提示中ではないと判定した場合に、前記選局部による選局動作は行わず、映像受信装置の現在の受信チャンネル番号を前記チャンネル番号提示手段によりユーザに提示し、前記チャンネル番号提示判定手段により提示中であると判定した場合には、前記選局部による実際の選局動作を行うように、構成される。  
また、本願によるさらに他の一つの本発明では、受信中のチャンネルをアップもしくはダウンさせるよう選局するためのキー入力部と、チャンネルをアップもしくはダウンさせるよう選局する選局部と、前記キー入力部によるキー入力に応じて前記選局部を制御するキー入力制御部と、チャンネルをアップもしくはダウンして選局するための前記キー入力部のキーの押下時間を計測するキー押下時間計測部と、現在受信しているチャンネル番号をユーザに提示するチャンネル番号提示手段とを備えた映像受信装置において、
前記キー入力部によって前記チャンネルをアップ方向もしくはダウン方向のいずれかに選局する際、前記キー押下時間計測部により測定した時間が一定時間未満の場合、前記選局部による選局動作は行わず、映像受信装置の現在の受信チャンネル番号を前記チャンネル番号提示手段によりユーザに提示し、前記キー押下時間計測部により測定した時間が一定時間以上の場合には、前記選局部による実際の選局動作を行うように、構成される。
【発明の効果】
【００１２】
本発明によれば、ユーザのチャンネルアップ／ダウンキー操作による映像受信装置の選局の際に、実際に選局をする前に、現在受信中のチャンネル番号を、ユーザにあらかじめ提示できるようにしたので、実際の選局動作前に、ユーザは現在受信中のチャンネル番号を特別な操作なしに確認できるようになり、すでに所望のチャンネルを視聴中であるにもかかわらずチャンネル／アップダウンキーにより無駄な選局をしてしまうことを防止できる。
【発明を実施するための最良の形態】
【００１３】
以下、本発明の実施の形態を、図面を用いて説明する。  
図１は、本発明の一実施形態（以下、本実施形態と記す）に係る映像受信装置であるテレビジョン受像機の構成を示すブロック図である。
【００１４】
図１において、１０はテレビ放送信号を受信するアンテナ、１１はユーザの指示にしたがって選局動作を行うテレビ放送受信選局部、１２は映像信号および音声信号を処理する映像／音声信号処理部、１３は映像信号とオンスクリーン信号とを合成する映像／ＯＳＤ信号合成部、１４は、リモコン送信機もしくはテレビジョン受像機本体に設けられているチャンネル変更のためのチャンネルアップ／ダウンキーなどを備えたキー入力部、１５は、キー入力部１４からのキーコードを解析してそれに基づく信号などを出力するキー入力制御部、１６は、キー入力制御部１６からの入力信号に基づき、テレビ放送受信選局部１１に対してチャンネルの周波数データを出力したり、ＯＳＤ表示部１７に対してチャンネル番号のオンスクリーン表示を指示したり、ＯＳＤ表示部１７からチャンネル番号のオンスクリーン表示中であるかどうかの表示状態信号を受け取るユーザインタフェース管理部、１６ａは、ユーザインタフェース管理部に備えられ、キー入力部１４のチャンネルアップ／ダウンキーの最終操作からの時間を計測、または、キー入力部１４のチャンネルアップ／ダウンキーの押下時間を計測する時間計測部、１７は、チャンネルなどを表わすオンスクリーン信号を生成して、映像／ＯＳＤ信号合成部１３に出力するＯＳＤ表示部、１８は音声信号を出力する音声出力部、１９は映像信号を出力する映像出力部である。
【００１５】
図２は、本実施形態におけるチャンネルアップ（ダウン）キーが押された場合の動作の第１例を示すフローチャートである。この第１例の動作を、図１および図２を用いて説明する。
【００１６】
ユーザがチャンネルアップ（ダウン）キーを押下すると（ステップＳ１）、キー入力はキー入力部１４、キー入力制御部１５を経て、ユーザインタフェース管理部１６にキーコードとして入力される。このとき、ユーザインタフェース管理部１６内に設けられた時間計測部１６ａにおいて、前回のアップ／ダウンキー入力からの計測時間ｔと、あらかじめ設定しておいた選局とチャンネル番号提示の切替えを行う閾時間定数Ｔの値とを比較する（ステップＳ６）。
【００１７】
ステップＳ６での判定がｔ＜Ｔである場合（ステップＳ６での判定がＹＥＳである場合）は、つまり、前回のアップ／ダウンキー入力からあまり時間が経過していない場合は、従来の選局方式と同様に、通常の選局を行う。すなわち、キー入力制御部１５からキーコードを受け取ったユーザインタフェース管理部１６は、チャンネルデータを＋１（−１）（ステップＳ２）し、その＋１（−１）されたチャンネルの周波数データを割り出してテレビ放送受信選局部１１に入力する。テレビ放送受信選局部１１は、ユーザインタフェース管理部１６からの指示どおりに選局を行って（ステップＳ３）、映像／音声信号を映像／音声信号処理部１２に入力し、映像／音声信号処理部１２は、入力された映像／音声信号を適切に処理し、音声を音声出力部１８に、映像を映像／ＯＳＤ信号合成部１３を経て映像出力部１９に、それぞれ出力する（ステップＳ４）。また、ユーザインタフェース管理部１６は、テレビ放送受信選局部１１に選局する指示をする際に、選局後の受信チャンネル番号をＯＳＤ表示するようＯＳＤ表示部１７に指示し、ＯＳＤ表示部１７はチャンネルを表すオンスクリーン信号を発生して、これが映像／ＯＳＤ信号合成部１３で映像信号と合成され、映像出力部１９から出力される（ステップＳ５）。なお、オンスクリーン表示されたチャンネル番号は、一定時間経過後に消去されるようになっている。
【００１８】
その後、ユーザインタフェース管理部１６は、時間計測部１６ａに時間計測クリア（ｔ＝０）の指示を行い（ステップＳ７）、これにより、時間計測部１６ａは時間計測を開始し（ステップＳ８）、次回のアップ／ダウンキー入力まで時間の計測を行う。
【００１９】
他方、ステップＳ６での判定がｔ≧Ｔである場合（ステップＳ６での判定がＮＯである場合）は、つまり、前回のアップ／ダウンキー入力から時間が経過していると判断した場合は、ユーザインタフェース管理部１６は通常の選局は行わず、ＯＳＤ表示部１７にチャンネル番号提示の指示を出し、これによって、現在受信中のチャンネルのチャンネル番号を提示する（ステップＳ５）。ステップＳ５以降の処理は、ｔ＜Ｔの場合と同様である（ステップＳ５→ステップＳ７→ステップＳ８）。
【００２０】
なお、前回のキー入力からの計測時間ｔは、ユーザがチャンネルアップ／ダウンキーの操作をまったくしないような場合、非常に大きな値となり、内部処理上、オーバーフローする可能性があるので、実際の時間ｔの計測は、閾時間Ｔを越えたところで、計測を中止し、閾値Ｔを超えたことを表現するフラグを立てるなどして記録しておく運用も想定される。
【００２１】
図３は、本実施形態におけるチャンネルアップ（ダウン）キーが押された場合の動作の第２例を示すフローチャートである。この第２例の動作を、図１および図３を用いて説明する。なお、図３において、先に説明した処理ステップと同様の処理ステップについては、同一ステップ番号を付し、その説明は重複を避けるため割愛する（これは、以下の第３例においても同様である）。
【００２２】
ユーザがチャンネルアップ（ダウン）キーを押下すると（ステップＳ１）、キー入力はキー入力部１４、キー入力制御部１５を経て、ユーザインタフェース管理部１６にキーコードとして入力される。このとき、ユーザインタフェース管理部１６は、ＯＳＤ表示部１７に対して現在チャンネル番号が提示中であるかどうかを問い合わせる（ステップＳ９）。なお、ここでは、ＯＳＤ表示部１７がチャンネル番号を提示しているか否かを管理しているものとしているが、この管理はユーザインタフェース管理部１６で行うことも可能である。
【００２３】
問い合わせた結果、チャンネル番号が提示中である場合（ステップＳ９の判定でＹＥＳの場合）は、従来の選局方式と同様に、通常の選局を行う（ステップＳ２→ステップＳ３→ステップＳ４→ステップＳ５）。他方、問い合わせた結果、チャンネル番号が提示中でない場合（ステップＳ９の判定でＮＯの場合）は、ユーザインタフェース管理部１６は通常の選局は行わず、ＯＳＤ表示部１７にチャンネル番号提示の指示を出し、これによって、現在受信中のチャンネルのチャンネル番号を提示する（ステップＳ５）。なお、ＯＳＤによるチャンネル番号の提示は、ユーザが常時表示を指示しない限り、一定時間経過後に消去されることが想定される。
【００２４】
図４は、本実施形態におけるチャンネルアップ（ダウン）キーが押された場合の動作の第３例を示すフローチャートである。この第３例の動作を、図１および図４を用いて説明する。
【００２５】
ユーザがチャンネルアップ（ダウン）キーを押下すると（ステップＳ１）、キー入力はキー入力部１４、キー入力制御部１５を経て、ユーザインタフェース管理部１６にキーコードとして入力される。ユーザインタフェース管理部１６は、ＯＳＤ表示部１７にチャンネル番号提示の指示を出し、これによって、現在受信中のチャンネルのチャンネル番号を提示する（ステップＳ５）。次に、ユーザインタフェース管理部１６で、キー入力部１４からキー入力制御部１５を経て入力されるキーコードが変化なく継続的であるかどうかを判定する（ステップＳ１０）。継続的、すなわち、チャンネルアップ（ダウン）キーが押し続けられていると判断した場合（ステップＳ１０の判定でＹＥＳの場合）は、通常の選局動作（ステップＳ２→ステップＳ３→ステップＳ４→ステップＳ５）を行う。非継続的、すなわち、チャンネルアップ（ダウン）キーをすぐに離したと判断したとき（ステップＳ１０の判定でＮＯの場合）は、選局動作は行わず、ユーザからのチャンネルアップ（ダウン）キーによる指示に対する処理を終了する。なお、ＯＳＤによるチャンネル番号提示は、ユーザが常時表示を指示しない限り、一定時間経過後に消去されることが想定される。
【図面の簡単な説明】
【００２６】
【図１】本発明の一実施形態に係るテレビジョン受像機の構成を示すブロック図である。
【図２】本発明の一実施形態に係るテレビジョン受像機における、チャンネルアップ（ダウン）キーを操作した際の処理動作の第１例を示すフローチャートである。
【図３】本発明の一実施形態に係るテレビジョン受像機における、チャンネルアップ（ダウン）キーを操作した際の処理動作の第２例を示すフローチャートである。
【図４】本発明の一実施形態に係るテレビジョン受像機における、チャンネルアップ（ダウン）キーを操作した際の処理動作の第３例を示すフローチャートである。
【図５】一般的なテレビジョン受像機のリモコン送信機の一例を示す説明図である。
【図６】従来のテレビジョン受像機の構成を示すブロック図である。
【図７】従来のテレビジョン受像機における、チャンネルアップ（ダウン）キーを操作した際の処理動作を示すフローチャートである。
【符号の説明】
【００２７】
１  リモコン送信機
２  チャンネルアップ／ダウン選局キー
３  ダイレクト選局キー
１０  テレビ放送受信アンテナ
１１  テレビ放送受信選局部
１２  映像／音声信号処理部
１３  映像／ＯＳＤ信号合成部
１４  キー入力部
１５  キー入力制御部
１６  ユーザインタフェース管理部
１６ａ  時間計測部
１７  ＯＳＤ表示部
１８  音声出力部
１９  映像出力部
【図１】
2005142827.tif 000003
【図２】
2005142827.tif 000004
【図３】
2005142827.tif 000005
【図４】
2005142827.tif 000006
【図５】
2005142827.tif 000007
【図６】
2005142827.tif 000008
【図７】
2005142827.tif 000009